(57)【要約】  多数の保冷容器を給電拠点で保管する際に、給電拠点の電源（給電口）を有効に活用して多数の保冷容器に冷却用の電力を供給することができる保冷装置を提供する。このため、保冷装置において、内部空間を冷却する冷却手段（２１０）を有する保冷容器（１００）と、保冷容器に設けられ、少なくとも商用電源から電力を入力可能な第１の端子（５１０）及び第２の端子（５２０）と、を備える。第１の端子は、第２の端子に入力された電力を出力可能である。第２の端子は、第１の端子に入力された電力を出力可能である。そして、冷却手段は、第１の端子及び第２の端子に入力された電力で駆動可能である構成とする。
2017208338.tif 000002
【特許請求の範囲】
【請求項１】
内部空間を冷却する冷却手段を有する保冷容器と、
前記保冷容器に設けられ、少なくとも商用電源から電力を入力可能な第１の端子及び第２の端子と、を備え、
前記第１の端子は、前記第２の端子に入力された電力を出力可能であり、
前記第２の端子は、前記第１の端子に入力された電力を出力可能であり、
前記冷却手段は、前記第１の端子及び前記第２の端子に入力された電力で駆動可能である保冷装置。
【請求項２】
前記第１の端子は、前記保冷容器の一側面部に設けられ、
前記第２の端子は、前記保冷容器の前記一側面部とは反対側の他側面部に設けられる請求項１に記載の保冷装置。
【請求項３】
前記保冷容器に設けられ、電力を入力可能な第３の端子及び第４の端子をさらに備え、
前記第３の端子は、前記保冷容器の上面部に設けられ、前記第１の端子、前記第２の端子及び前記第４の端子に入力された電力を出力可能であり、
前記第４の端子は、前記保冷容器の底面部に設けられ、前記第１の端子、前記第２の端子及び前記第３の端子に入力された電力を出力可能であり、
前記冷却手段は、前記第１の端子、前記第２の端子、前記第３の端子及び前記第４の端子に入力された電力で駆動可能である請求項２に記載の保冷装置。
【請求項４】
前記保冷容器に設けられ、電力を入力可能な第３の端子及び第４の端子をさらに備え、
前記第３の端子は、前記保冷容器の背面部の一側に設けられ、前記第１の端子、前記第２の端子及び前記第４の端子に入力された電力を出力可能であり、
前記第４の端子は、前記保冷容器の前記背面部の他側に設けられ、前記第１の端子、前記第２の端子及び前記第３の端子に入力された電力を出力可能であり、
前記冷却手段は、前記第１の端子、前記第２の端子、前記第３の端子及び前記第４の端子に入力された電力で駆動可能である請求項２に記載の保冷装置。
【請求項５】
内部空間を冷却する冷却手段を有する保冷容器と、
前記保冷容器に設けられ、電力を入力可能な第１の端子、第２の端子、第３の端子及び第４の端子を備え、
前記第１の端子は、前記保冷容器の一側面部に設けられ、前記第２の端子、前記第３の端子及び前記第４の端子に入力された電力を出力可能であり、
前記第２の端子は、前記保冷容器の前記一側面部とは反対側の他側面部に設けられ、前記第１の端子、前記第３の端子及び前記第４の端子に入力された電力を出力可能であり、
前記第３の端子は、前記保冷容器の上面部に設けられ、前記第１の端子、前記第２の端子及び前記第４の端子に入力された電力を出力可能であり、
前記第４の端子は、前記保冷容器の底面部に設けられ、前記第１の端子、前記第２の端子及び前記第３の端子に入力された電力を出力可能であり、
前記冷却手段は、前記第１の端子、前記第２の端子、前記第３の端子及び前記第４の端子に入力された電力で駆動可能である保冷装置。
【請求項６】
電源から供給された電力を変換して前記冷却手段に供給する電力変換部を備え、
前記電力変換部は、前記保冷容器に内蔵される請求項１から請求項５のいずれか一項に記載の保冷装置。
【請求項７】
電源から供給された電力を変換して前記冷却手段に供給する電力変換部を備え、
前記電力変換部は、前記保冷容器の外部に設けられる請求項１から請求項５のいずれか一項に記載の保冷装置。
【発明の詳細な説明】
【技術分野】
【０００１】
この発明は、保冷装置に関するものである。
【背景技術】
【０００２】
従来においては、真空若しくは減圧した状態とした真空減圧層を形成する一対の対向板間に、この対向板が伝熱板として機能するようにペルチェモジュールを介在し、対向板の少なくとも一方に放熱若しくは吸熱が良好となるように伝熱面積を増大させる多数のリブを設けた構成とするとともに、断熱構造を施した容体の開口部を閉塞する蓋として構成した断熱容体の蓋が知られている（例えば、特許文献１参照）。
【先行技術文献】
【特許文献】
【０００３】
【特許文献１】日本特開２００１−２２１５５２号公報
【発明の概要】
【発明が解決しようとする課題】
【０００４】
この特許文献１に示された従来技術においては、断熱容体（保冷容器）の蓋体に、ペルチェモジュール（ペルチェ素子）及びこのペルチェ素子を駆動する電源が内蔵されている。このため、例えば、電化地域にある給電拠点において、保冷容器の内部を冷却した後に、非電化地域へと運搬する場合等に、保冷容器毎に蓋体の電源を給電拠点にある給電口に接続する必要があり、多数の保冷容器を給電拠点で保管する際に給電口が不足する可能性がある。【０００５】
この発明は、このような課題を解決するためになされたもので、多数の保冷容器を給電拠点で保管する際に、給電拠点の電源（給電口）を有効に活用して多数の保冷容器に冷却用の電力を供給することができる保冷装置を得るものである。
【課題を解決するための手段】
【０００６】
この発明に係る保冷装置においては、内部空間を冷却する冷却手段を有する保冷容器と、前記保冷容器に設けられ、少なくとも商用電源から電力を入力可能な第１の端子及び第２の端子と、を備え、前記第１の端子は、前記第２の端子に入力された電力を出力可能であり、前記第２の端子は、前記第１の端子に入力された電力を出力可能であり、前記冷却手段は、前記第１の端子及び前記第２の端子に入力された電力で駆動可能である構成とする。【０００７】
または、この発明に係る保冷装置においては、内部空間を冷却する冷却手段を有する保冷容器と、前記保冷容器に設けられ、電力を入力可能な第１の端子、第２の端子、第３の端子及び第４の端子を備え、前記第１の端子は、前記保冷容器の一側面部に設けられ、前記第２の端子、前記第３の端子及び前記第４の端子に入力された電力を出力可能であり、前記第２の端子は、前記保冷容器の前記一側面部とは反対側の他側面部に設けられ、前記第１の端子、前記第３の端子及び前記第４の端子に入力された電力を出力可能であり、前記第３の端子は、前記保冷容器の上面部に設けられ、前記第１の端子、前記第２の端子及び前記第４の端子に入力された電力を出力可能であり、前記第４の端子は、前記保冷容器の底面部に設けられ、前記第１の端子、前記第２の端子及び前記第３の端子に入力された電力を出力可能であり、前記冷却手段は、前記第１の端子、前記第２の端子、前記第３の端子及び前記第４の端子に入力された電力で駆動可能である構成とする。
【発明の効果】
【０００８】
この発明に係る保冷装置においては、多数の保冷容器を給電拠点で保管する際に、給電拠点の電源（給電口）を有効に活用して多数の保冷容器に冷却用の電力を供給することができるという効果を奏する。
【図面の簡単な説明】
【０００９】
【図１】この発明の実施の形態１に係る保冷装置が備える保冷容器の外観を示す斜視図である。
【図２】この発明の実施の形態１に係る保冷装置の全体構成を模式的に示す正面図である。
【図３】この発明の実施の形態１に係る保冷装置の保冷容器を複数配置した一例を示す図である。
【図４】この発明の実施の形態１に係る保冷装置の保冷容器の蓋体の一例を示す図である。
【図５】この発明の実施の形態１に係る保冷装置の保冷容器の蓋体の他の例を示す図である。
【図６】この発明の実施の形態２に係る保冷装置の全体構成を模式的に示す正面図である。
【図７】この発明の実施の形態２に係る保冷装置の保冷容器を複数配置した一例を示す図である。
【図８】この発明の実施の形態３に係る保冷装置の全体構成を模式的に示す正面図である。
【図９】この発明の実施の形態３に係る保冷装置の保冷容器を複数配置した一例を示す図である。
【図１０】この発明の実施の形態４に係る保冷装置の全体構成を模式的に示す正面図である。
【図１１】この発明の実施の形態４に係る保冷装置の保冷容器を複数配置した一例を示す図である。
【図１２】この発明の実施の形態５に係る保冷装置の全体構成を模式的に示す上面図である。
【図１３】この発明の実施の形態５に係る保冷装置の保冷容器を複数配置した一例を示す図である。
【発明を実施するための形態】
【００１０】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１１】
実施の形態１．
図１から図５は、この発明の実施の形態１に係るもので、図１は保冷装置が備える保冷容器の外観を示す斜視図、図２は保冷装置の全体構成を模式的に示す正面図、図３は保冷装置の保冷容器を複数配置した一例を示す図、図４は保冷装置の保冷容器の蓋体の一例を示す図、図５は保冷装置の保冷容器の蓋体の他の例を示す図である。
【００１２】
この発明の実施の形態１に係る保冷装置は、例えば図１に示すような保冷容器１００を備えている。保冷容器１００は、容器本体１１０、蓋体１２０及び内側容器１３０を備えている。容器本体１１０は、例えば、有底筒状を呈し、外観形状及び内部空間の形状が直方体状に形成されている。容器本体１１０の外面、ここでは例えば上面には、開口１１１が形成されている。ここでは、容器本体１１０の側面及び底面には、開口は形成されていない。すなわち、ここでは、容器本体１１０は、例えば上向きに空気の出入口を有し、横向き及び下向きには空気の出入口を有さない容器である。
【００１３】
内側容器１３０は、例えば、外観形状及び内部空間の形状が直方体状に形成されている。内側容器１３０の外側の高さは、例えば、容器本体１１０の内側の深さと同じである。内側容器１３０の上面には、取り出し補助具１３１が設けられている。取り出し補助具１３１は、例えば、輪状又は突起状等の取っ手である。内側容器１３０の側面には、側面開口が形成されている。側面開口は、例えば、内側容器１３０の側面のうち１面だけに形成されている。内側容器１３０の上面及び底面には、開口が形成されていない。つまり、内側容器１３０は、横向きに空気の出入口を有し、上向き及び下向きには空気の出入口を有しない容器である。
【００１４】
実施の形態１において、保冷容器１００は、複数の内側容器１３０を備えている。図１では、一例として、保冷容器１００が２つの内側容器１３０を備える場合を示している。
【００１５】
内側容器１３０は、開口１１１を介して容器本体１１０に出し入れされる。内側容器１３０が容器本体１１０に収納されると、内側容器１３０の側面のうち側面開口が形成された側面全体が、容器本体１１０の内壁に接した状態となる。内側容器１３０の側面のうち側面開口が形成された側面は、他の内側容器１３０の側面に接しない。つまり、内側容器１３０が容器本体１１０に収納された状態において、側面開口は、容器本体１１０の内壁によって塞がれる。
【００１６】
複数の内側容器１３０が全て容器本体１１０に収納されると、内側容器１３０の側面のうち側面開口が形成されていない側面は、容器本体１１０の内壁又は他の内側容器１３０の側面に接した状態となる。全ての内側容器１３０が容器本体１１０に収納された状態において、内側容器１３０は、容器本体１１０の内壁と隙間なく隣接する。全ての内側容器１３０が容器本体１１０に収納された状態において、内側容器１３０は、他の内側容器１３０と隙間なく隣接する。
【００１７】
内側容器１３０が容器本体１１０に収納されると、内側容器１３０の上面は、容器本体１１０の上面と同じ高さに位置する。複数の内側容器１３０が全て容器本体１１０に収納されると、全ての内側容器１３０の上面と容器本体１１０の上面とが同じ高さに位置する。つまり、複数の内側容器１３０が全て容器本体１１０に収納されると、内側容器１３０の上面によって容器本体１１０の開口１１１が塞がれた状態となる。
【００１８】
内側容器１３０には、仕切部１３２が設けられている。仕切部１３２は、例えば、格子状に形成されている。仕切部１３２の端部は、側面開口が形成された側面と面一になっている。内側容器１３０の内部空間は、仕切部１３２によって複数の部屋に区画されている。２つの側面開口のそれぞれは、仕切部１３２によって、部屋の数と同数の開口に分割されている。
【００１９】
内側容器１３０には、対象物１が収納される。対象物１は、内側容器１３０の内部において、仕切部１３２によって区画された各部屋に分けて収納される。対象物１は、例えば、ワクチン製剤、血液製剤等の医薬品、化学薬品、冷凍食品、生鮮食品、水産物等である。
【００２０】
容器本体１１０に収納されている内側容器１３０は、取り出し補助具１３１が引かれると、側面開口を有する側面が容器本体１１０の内壁に接している状態で、容易に引き出される。取り出し補助具１３１を引くことにより内側容器１３０を容器本体１１０の開口１１１の方向へ移動させると、側面開口の一部が露出した状態となる。この状態で、内側容器１３０の移動方向に対して垂直な方向に対象物１を移動させると、対象物１が取り出される。つまり、保冷容器１００から対象物１を取り出すには、内側容器１３０を開口１１１から上方に引き出した後、露出した側面開口から対象物１を横にずらせばよい。
【００２１】
なお、内側容器１３０が容器本体１１０に収納された状態において、各部屋の内部空間は互いに連続していない。また、内側容器１３０及び仕切部１３２の少なくとも表面は、熱伝導率の高い材料で形成されている。つまり、内側容器１３０の少なくとも上面、側面及び各部屋の内側の面は、互いに熱を伝えるように形成されている。内側容器１３０及び仕切部１３２の熱伝導率は、少なくとも容器本体１１０の熱伝導率よりも高い。
【００２２】
蓋体１２０は、着脱自在に容器本体１１０の開口１１１を開閉する。すなわち、蓋体１２０は、容器本体１１０の上面に着脱することができる。蓋体１２０が容器本体１１０の上面に取り付けられると、容器本体１１０の開口１１１が閉塞され、容器本体１１０の内部空間が気密に密閉される。蓋体１２０が容器本体１１０の上面から取り外されると、容器本体１１０の開口１１１は開放される。
【００２３】
保冷容器１００は、断熱性に優れた素材を用いて形成されている。すなわち、容器本体１１０及び蓋体１２０は、例えば、真空断熱材をそれぞれ内蔵している。したがって、蓋体１２０で容器本体１１０の開口１１１を閉塞すると、保冷容器１００の内部空間の温度を維持することができる。
【００２４】
図２に示すように、保冷容器１００（容器本体１１０及び蓋体１２０）は、冷却装置２１０、放熱部２１１、電力変換部２２０、制御部２３０及び温度センサ２４０を備えている。冷却装置２１０は、電力により駆動され、保冷容器１００の内部空間を冷却する冷却手段である。冷却装置２１０は、例えば、ペルチェ素子を備えている。なお、冷却装置２１０は、ペルチェ素子の他、電力により駆動され冷却を行うものであれば、例えば、冷媒を利用した熱交換器を備えたものであってもよい。
【００２５】
放熱部２１１は、冷却装置２１０から排出される熱を冷却するためのものである。放熱部２１１は、例えば、冷却装置２１０が備えるペルチェ素子の高温側（放熱側）に配置されたヒートシンク、放熱フィン、放熱ファンのうちの１以上を備えている。
【００２６】
制御部２３０は、例えば、制御スイッチ２３１をオン／オフすることで、冷却装置２１０へと供給する電力を調節して冷却装置２１０の動作を制御する。温度センサ２４０は、容器本体１１０の内部空間の温度を検出する温度検出部である。制御部２３０は、温度センサ２４０の検出結果に基づいて、例えば、容器本体１１０の内部空間の温度が所望の一定温度になるように、冷却装置２１０の動作を制御する。
【００２７】
保冷容器１００には、第１の端子５１０及び第２の端子５２０が設けられている。ここでは、第１の端子５１０は、保冷容器１００の一側面部に設けられている。また、第２の端子５２０は、保冷容器の前記一側面部とは反対側の他側面部に設けられている。これらの第１の端子５１０及び第２の端子５２０は、それぞれが外部から電力を入力可能な端子である。
【００２８】
図１に示す例では、第１の端子５１０に電力が入力されている。すなわち、第１の端子５１０には、送電ケーブル４００を介して商用電源３００が接続されている。冷却装置２１０は、第１の端子５１０及び第２の端子５２０のいずれに入力された電力でも駆動可能である。図１に示す例では、冷却装置２１０は、第１の端子５１０に入力された電力により駆動される。一方、第２の端子５２０に電力を入力した場合には、冷却装置２１０は、第２の端子５２０に入力された電力により駆動される。このように、第１の端子５１０及び第２の端子５２０には、少なくとも商用電源３００から電力を入力することが可能である。
【００２９】
なお、送電ケーブル４００を商用電源３００に接続する際には、例えば図示しない電源プラグを用いる。電源プラグは、商用電源３００の例えばコンセントに接続される。なお、電源プラグの形状は、コンセントに差し込むタイプでなくともよい。電源プラグは、例えば、ＵＳＢ型又はシガレットソケット型等であってもよい。また、電源プラグは、複数の型に交換可能としてもよい。
【００３０】
この実施の形態１では、保冷容器１００に電力変換部２２０が内蔵されている。電力変換部２２０は、電源から供給された電力を変換して冷却装置２１０に供給するものである。すなわち、電力変換部２２０は、第１の端子５１０又は第２の端子５２０から供給された電力を変換して、冷却装置２１０へと変換後の電力を出力する。電力変換部２２０は、商用電源３００から供給された電力を、冷却装置２１０の駆動に適したものに変換する。具体的に例えば、電力変換部２２０は、商用電源３００から供給された交流を直流に変換する。そして、変換した直流の電圧及び電流が、冷却装置２１０の駆動に適したものとなるように調整する。
【００３１】
第２の端子５２０は、第１の端子５１０に入力された電力を外部に出力可能である。すなわち、図１に示すように第１の端子５１０に電力を入力した場合には、第２の端子５２０から電力を外部に出力することができる。また、第１の端子５１０は、第２の端子５２０に入力された電力を外部に出力可能である。すなわち、第２の端子５２０に電力を入力した場合には、第１の端子５１０から電力を外部に出力することができる。
【００３２】
図３に示すように、この発明の実施の形態１に係る保冷装置においては、複数の保冷容器１００がある場合に、ある保冷容器１００の第１の端子５１０と、他の保冷容器１００の第２の端子５２０とを接続することができる。この際の第１の端子５１０と第２の端子５２０との接続は、複数の保冷容器１００を隣接して並べることで直接に接続されるようにしてもよいし、例えば専用のコネクタ等を用いて行うようにしてもよい。
【００３３】
前述したように、第１の端子５１０に電力を入力した場合には、第２の端子５２０から電力を外部に出力することができる。したがって、この図３に示す状態においては、図に向かって左側の保冷容器１００（以下、単に「左側の保冷容器１００」という）の第１の端子５１０に商用電源３００から電力が入力され、左側の保冷容器１００の第２の端子５２０から電力が出力される。
【００３４】
そして、左側の保冷容器１００の第２の端子５２０から出力された電力は、図に向かって右側の保冷容器１００（以下、単に「右側の保冷容器１００」という）の第１の端子５１０に入力される。そして、右側の保冷容器１００の冷却装置２１０は、左側の保冷容器１００の第２の端子５２０から右側の保冷容器１００の第１の端子５１０に入力された電力により駆動する。なお、左側の保冷容器１００の冷却装置２１０は、商用電源３００から左側の保冷容器１００の第１の端子５１０に入力された電力により駆動する。
【００３５】
なお、右側の保冷容器１００の第２の端子５２０に、他の保冷容器１００の第１の端子５１０を接続すれば、さらに多くの保冷容器１００の冷却装置２１０を駆動させることができる。このようにして、１つの商用電源３００を用いて、複数の保冷容器１００の冷却装置２１０を駆動させることができる。
【００３６】
ここで、冷却して生じた冷気は周りの空気より相対的に重いので下方へと移動する。このため、冷却装置２１０を蓋体１２０に設け、容器本体１１０の内部空間を上方から冷却することで、効率的に容器本体１１０の内部空間を冷却することができる。蓋体１２０に冷却装置２１０を設けた場合、第１の端子５１０及び第２の端子５２０を含めた冷却装置２１０への給電回路も、蓋体１２０に設けた方が構成を簡潔なものとすることができる。
【００３７】
冷却装置２１０、第１の端子５１０及び第２の端子５２０を蓋体１２０に設けた場合の蓋体１２０の構成例を示すのが図４及び図５である。まず、図４に示す例では、蓋体１２０には、蓋開口部１２１が形成されている。蓋開口部１２１は、蓋体１２０の上面から下面までを貫通している。
【００３８】
蓋開口部１２１には、可動蓋部１２２が取り付けられている。可動蓋部１２２は、一端がヒンジ部１２３により両方向に回転可能に蓋体１２０に取り付けられている。冷却装置２１０及び放熱部２１１は、可動蓋部１２２に設けられている。一方、第１の端子５１０及び第２の端子５２０は、蓋体１２０のうちの可動蓋部１２２でない部分の側面に設けられている。
【００３９】
以上のように構成された蓋体１２０において、複数の保冷容器１００を並べて第１の端子５１０及び第２の端子５２０を用いて各保冷容器１００に給電している際に、ある１つの保冷容器１００の蓋体１２０を開けようとした場合を考える。この場合において、蓋体１２０そのものを容器本体１１０から取り外してしまうと、隣接する保冷容器１００の蓋体１２０との位置がずれて、第１の端子５１０及び第２の端子５２０との接続が外れてしまう。
【００４０】
そこで、蓋体１２０に対しヒンジ部１２３を回転軸にして、可動蓋部１２２を図４中に示す矢印の方向に動かすことで、第１の端子５１０及び第２の端子５２０の位置を移動させることなく、蓋開口部１２１を開閉して、保冷容器１００の内部空間に対象物１を出し入れすることができる。この際、第１の端子５１０及び第２の端子５２０と、冷却装置２１０とを接続するケーブルには、ケーブル保護具６０１を取り付けることで、可動蓋部１２２を動かす際におけるケーブルの損傷を防止することが可能である。
【００４１】
次に、図５に示す例では、図４に示す例と同様に、蓋体１２０には、蓋開口部１２１が形成されている。蓋開口部１２１は、蓋体１２０の上面から下面までを貫通している。また、蓋開口部１２１の一端部は、蓋体１２０の端部にまで達している。
【００４２】
蓋開口部１２１には、可動蓋部１２２が取り付けられている。可動蓋部１２２は、蓋体１２０に対して横方向にスライド可能に取り付けられている。冷却装置２１０及び放熱部２１１は、可動蓋部１２２に設けられている。一方、第１の端子５１０及び第２の端子５２０は、蓋体１２０のうちの可動蓋部１２２でない部分の側面に設けられている。
【００４３】
第１の端子５１０及び第２の端子５２０と、冷却装置２１０とを接続するケーブルには、接続端子６０２が設けられている。可動蓋部１２２が蓋開口部１２１を閉塞している状態では、接続端子６０２同士が結合して、第１の端子５１０及び第２の端子５２０と、冷却装置２１０とが電気的に接続される。一方、可動蓋部１２２が蓋開口部１２１を開放している状態では、接続端子６０２同士が分離して、第１の端子５１０及び第２の端子５２０と、冷却装置２１０とが電気的に切断される。
【００４４】
以上のように構成された蓋体１２０においても、可動蓋部１２２を図５中に示す矢印の方向に動かすことで、第１の端子５１０及び第２の端子５２０の位置を移動させることなく、蓋開口部１２１を開閉して、保冷容器１００の内部空間に対象物１を出し入れすることができる。
【００４５】
以上のように構成された冷装置は、保冷容器１００で、例えば、ワクチン製剤等の薬剤を保管、運搬する際に使用するのに好適である。すなわち、まず、電化地域にある給電拠点において、多数の保冷容器１００の冷却装置２１０を駆動して、保冷容器１００の内部空間を冷却する。この際、多数の保冷容器１００を隣接させて並べることで、これらの保冷容器１００の第１の端子５１０及び第２の端子５２０を接続し、数の限られた電源（給電口）を有効に活用して、多数の保冷容器１００の冷却装置２１０を同時に駆動させることができる。そして、複数の保冷容器１００は、それぞれ個別に、保冷容器１００に収容したワクチン製剤等を保冷したまま、無電化地域等に運搬することができる。
【００４６】
また、１つの電源から多数の保冷容器１００に給電する際、保冷容器１００同士の接続にはケーブルが必要ないため、配線が少なく、取り回しが容易であって、複数の保冷容器１００の配置レイアウトの変更も容易である。また、ケーブルを少なくすることで、ケーブル断線等が生じるリスクも低減することができる。さらに、多数の保冷容器１００を隣接させて並べて保管することができるため、単位面積当たりに設置可能な保冷容器１００の数が多く、多数の保冷容器１００を収容する際のスペースの利用効率を向上することができる。さらに、車、バイク等の電源（給電口）を複数用意することが困難な場所であっても複数の保冷容器１００に給電することができる。
【００４７】
実施の形態２．
図６及び図７は、この発明の実施の形態２に係るもので、図６は保冷装置の全体構成を模式的に示す正面図、図７は保冷装置の保冷容器を複数配置した一例を示す図である。
【００４８】
ここで説明する実施の形態２は、前述した実施の形態１の構成において保冷容器１００に内蔵していた電力変換部２２０を、保冷容器１００の外部に設けるようにしたものである。以下、この実施の形態２に係る保冷装置について、実施の形態１との相違点を中心に説明する。
【００４９】
この実施の形態２においては、図６に示すように、商用電源３００と保冷容器１００とを電気的に接続する送電ケーブル４００に、電力変換部２２０が設けられている。そして、保冷容器１００には、電力変換部２２０は設けられていない。すなわち、電力変換部２２０は、保冷容器１００の外部に設けられている。
【００５０】
図７に示すように、この発明の実施の形態２に係る保冷装置においては、複数の保冷容器１００がある場合に、ある保冷容器１００の第１の端子５１０と、他の保冷容器１００の第２の端子５２０とを接続することができる。
【００５１】
この図７に示す例では、左側の保冷容器１００の第１の端子５１０に商用電源３００から電力が入力される。この保冷容器１００の第１の端子５１０に入力される電力は、電力変換部２２０により冷却装置２１０の駆動に適するものへと変換された後の電力である。そして、左側の保冷容器１００の第２の端子５２０から出力される電力も、電力変換部２２０による変換後の電力である。
【００５２】
したがって、第１の端子５１０及び第２の端子５２０を介して、ある保冷容器１００から他の保冷容器１００へと送電される電力は、既に電力変換部２２０による変換後の電力である。このため、それぞれの保冷容器１００で電力変換部２２０を備えなくとも、複数の保冷容器１００の冷却装置２１０を駆動させることができる。
なお、他の構成については実施の形態１と同様であって、その詳細説明は省略する。
【００５３】
以上のように構成された保冷装置は、実施の形態１と同様の効果を奏することができるのに加えて、複数の保冷容器１００のそれぞれに電力変換部２２０を内蔵する必要がないため、保冷容器１００を小型軽量化し、多数の保冷容器１００を収容する際のスペースの利用効率を向上することができる。また、保冷容器１００の運搬も容易に行うことができる。
【００５４】
実施の形態３．
図８及び図９は、この発明の実施の形態３に係るもので、図８は保冷装置の全体構成を模式的に示す正面図、図９は保冷装置の保冷容器を複数配置した一例を示す図である。
【００５５】
ここで説明する実施の形態３は、前述した実施の形態１の構成に加えて、保冷容器１００の上面部及び底面部にも電力を入力及び出力可能な端子を設けるようにしたものである。以下、この実施の形態３に係る保冷装置について、実施の形態１との相違点を中心に説明する。
【００５６】
この実施の形態３においては、図８に示すように、保冷容器１００は、外部から電力を入力可能な第３の端子５３０及び第４の端子５４０をさらに備えている。第３の端子５３０は、保冷容器１００の上面部に設けられている。ここでは、保冷容器１００の上面部とは、蓋体１２０の上面部のことである。保冷容器１００の上面部には、凹部１２４が形成されている。第３の端子５３０は、保冷容器１００の上面部の凹部１２４の内部に配置されている。この第３の端子５３０は、第１の端子５１０、第２の端子５２０及び第４の端子５４０のいずれかに入力された電力を外部に出力可能である。
【００５７】
第４の端子５４０は、保冷容器１００の底面部に設けられている。ここでは、保冷容器１００の底面部とは、容器本体１１０の底面部のことである。保冷容器１００の底面部には、足部１１２が下方に突出して形成されている。第４の端子５４０は、保冷容器１００の底面部の足部１１２の下端部に配置されている。この第４の端子５４０は、第１の端子５１０、第２の端子５２０及び第３の端子５３０のいずれかに入力された電力を外部に出力可能である。そして、冷却装置２１０は、第１の端子５１０、第２の端子５２０、第３の端子５３０及び第４の端子５４０のいずれかに入力された電力で駆動可能である。
【００５８】
なお、この実施の形態３においては、第１の端子５１０は、第２の端子５２０、第３の端子５３０及び第４の端子５４０のいずれかに入力された電力を外部に出力可能である。また、第２の端子５２０は、第１の端子５１０、第３の端子５３０及び第４の端子５４０のいずれかに入力された電力を外部に出力可能である。
【００５９】
この発明の実施の形態３に係る保冷装置においては、例えば２つの保冷容器１００がある場合に、一方の保冷容器１００の上面部に他方の保冷容器１００を置くと、前記他方の保冷容器１００の足部１１２が、前記一方の保冷容器１００の凹部１２４に挿入されるようになっている。そして、前記他方の保冷容器１００の足部１１２が、前記一方の保冷容器１００の凹部１２４に挿入されると、前記一方の保冷容器１００の第３の端子５３０と前記他方の保冷容器１００の第４の端子５４０とが電気的に接続されるように構成されている。
【００６０】
図９に示すのは、以上のように構成された、この発明の実施の形態３に係る保冷装置が備える保冷容器１００を４つ並べた場合の一例である。この図９に向かって左下の保冷容器１００、右下の保冷容器１００、左上の保冷容器１００及び右上の保冷容器１００のそれぞれを、以降では、単に「左下の保冷容器１００」、「右下の保冷容器１００」、「左上の保冷容器１００」及び「右上の保冷容器１００」とそれぞれ呼ぶ。
【００６１】
この図９に示す状態においては、左下の保冷容器１００の第１の端子５１０に商用電源３００から電力が入力されている。そして、左下の保冷容器１００の冷却装置２１０は、左下の保冷容器１００の第１の端子５１０に入力された電力により駆動される。また、左下の保冷容器１００の第２の端子５２０及び第３の端子５３０のそれぞれから電力が出力される。
【００６２】
左下の保冷容器１００の第２の端子５２０から出力された電力は、右下の保冷容器１００の第１の端子５１０に入力される。そして、右下の保冷容器１００の冷却装置２１０は、右下の保冷容器１００の第２の端子５２０に入力された電力により駆動される。また、右下の保冷容器１００の第３の端子５３０から電力が出力される。
【００６３】
左下の保冷容器１００の第３の端子５３０から出力された電力は、左上の保冷容器１００の第４の端子５４０に入力される。そして、左上の保冷容器１００の冷却装置２１０は、左上の保冷容器１００の第３の端子５３０に入力された電力により駆動される。また、左上の保冷容器１００の第２の端子５２０から電力が出力される。
【００６４】
右下の保冷容器１００の第３の端子５３０から出力された電力は、右上の保冷容器１００の第４の端子５４０に入力される。また、左上の保冷容器１００の第２の端子５２０から出力された電力は、右上の保冷容器１００の第１の端子５１０に入力される。そして、右上の保冷容器１００の冷却装置２１０は、右上の保冷容器１００の第１の端子５１０及び第４の端子５４０に入力された電力により駆動される。
【００６５】
このようにして、１つの商用電源３００を用いて、複数の保冷容器１００の冷却装置２１０を駆動させることができる。
なお、他の構成については実施の形態１と同様であって、その詳細説明は省略する。
【００６６】
以上のように構成された保冷装置は、実施の形態１と同様の効果を奏することができるのに加えて、保冷容器１００の左右のみならず、上下に隣接する他の保冷容器１００へも電力を送ることができる。したがって、より少ない電源（給電口）で、より多くの保冷容器１００の冷却装置２１０を同時に駆動させることができ、数少ない電源（給電口）をより有効に活用することが可能である。また、多数の保冷容器１００を左右のみならず上下にも隣接させて並べて保管することができるため、単位面積当たりに設置可能な保冷容器１００の数をさらに増加させ、多数の保冷容器１００を収容する際のスペースの利用効率をさらに向上することができる。
【００６７】
実施の形態４．
図１０及び図１１は、この発明の実施の形態４に係るもので、図１０は保冷装置の全体構成を模式的に示す正面図、図１１は保冷装置の保冷容器を複数配置した一例を示す図である。
【００６８】
ここで説明する実施の形態４は、前述した実施の形態３の構成において保冷容器１００に内蔵していた電力変換部２２０を、保冷容器１００の外部に設けるようにしたものである。以下、この実施の形態４に係る保冷装置について、実施の形態３との相違点を中心に説明する。
【００６９】
この実施の形態４においては、図１０に示すように、商用電源３００と保冷容器１００とを電気的に接続する送電ケーブル４００に、電力変換部２２０が設けられている。そして、保冷容器１００には、電力変換部２２０は設けられていない。すなわち、電力変換部２２０は、保冷容器１００の外部に設けられている。
【００７０】
図１１に示すのは、以上のように構成された、この発明の実施の形態４に係る保冷装置が備える保冷容器１００を４つ並べた場合の一例である。この図１１に示された各保冷容器１００については、図９の場合と同様に、単に「左下の保冷容器１００」、「右下の保冷容器１００」、「左上の保冷容器１００」及び「右上の保冷容器１００」とそれぞれ呼ぶことにする。
【００７１】
この図１１に示す状態においては、左下の保冷容器１００の第１の端子５１０に商用電源３００から電力が入力されている。この保冷容器１００の第１の端子５１０に入力される電力は、電力変換部２２０により冷却装置２１０の駆動に適するものへと変換された後の電力である。そして、左下の保冷容器１００の第２の端子５２０及び第３の端子５３０のそれぞれから出力される電力も、電力変換部２２０による変換後のものである。
【００７２】
同様に、右下の保冷容器１００の第１の端子５１０に入力される電力、右下の保冷容器１００の第３の端子５３０から出力される電力、左上の保冷容器１００の第４の端子５４０に入力される電力、左上の保冷容器１００の第２の端子５２０から出力される電力、右上の保冷容器１００の第４の端子５４０に入力される電力及び右上の保冷容器１００の第１の端子５１０に入力される電力も、全て、電力変換部２２０による変換後の電力である。
【００７３】
このように、第１の端子５１０及び第２の端子５２０、又は、第３の端子５３０及び第４の端子５４０を介して、ある保冷容器１００から他の保冷容器１００へと送電される電力は、既に電力変換部２２０による変換後の電力である。このため、それぞれの保冷容器１００で電力変換部２２０を備えなくとも、複数の保冷容器１００の冷却装置２１０を駆動させることができる。
なお、他の構成については実施の形態３と同様であって、その詳細説明は省略する。
【００７４】
以上のように構成された保冷装置は、実施の形態３と同様の効果を奏することができるのに加えて、複数の保冷容器１００のそれぞれに電力変換部２２０を内蔵する必要がないため、保冷容器１００を小型軽量化し、多数の保冷容器１００を収容する際のスペースの利用効率を向上することができる。また、保冷容器１００の運搬も容易に行うことができる。
【００７５】
実施の形態５．
図１２及び図１３は、この発明の実施の形態５に係るもので、図１２は保冷装置の全体構成を模式的に示す上面図、図１３は保冷装置の保冷容器を複数配置した一例を示す図である。
【００７６】
ここで説明する実施の形態５は、前述した実施の形態１又は実施の形態２の構成に加えて、保冷容器１００の背面部にも電力を入力及び出力可能な端子を設けるようにしたものである。以下、この実施の形態５に係る保冷装置について、実施の形態２の構成をもとにしたものを例として挙げて、実施の形態２との相違点を中心に説明する。
【００７７】
この実施の形態５においては、図１２に示すように、保冷容器１００の前面に開口１１１が形成されている。そして、この開口１１１から保冷容器１００の背面側に向かって、保冷容器１００の内部空間が形成されている。
【００７８】
保冷容器１００は、外部から電力を入力可能な第３の端子５３０及び第４の端子５４０をさらに備えている。第３の端子５３０及び第４の端子５４０は、保冷容器１００の開口１１１が形成された面とは反対側の面、すなわち、保冷容器１００の背面部に配置されている。第３の端子５３０は、保冷容器１００の背面部における左右の中心よりも一方側に設けられている。また、第４の端子５４０は、保冷容器１００の背面部における左右の中心よりも他方側に設けられている。
【００７９】
第３の端子５３０は、第１の端子５１０、第２の端子５２０及び第４の端子５４０のいずれかに入力された電力を外部に出力可能である。また、第４の端子５４０は、第１の端子５１０、第２の端子５２０及び第３の端子５３０のいずれかに入力された電力を外部に出力可能である。そして、冷却装置２１０は、第１の端子５１０、第２の端子５２０、第３の端子５３０及び第４の端子５４０のいずれかに入力された電力で駆動可能である。
【００８０】
なお、この実施の形態５においては、第１の端子５１０は、第２の端子５２０、第３の端子５３０及び第４の端子５４０のいずれかに入力された電力を外部に出力可能である。また、第２の端子５２０は、第１の端子５１０、第３の端子５３０及び第４の端子５４０のいずれかに入力された電力を外部に出力可能である。
【００８１】
この発明の実施の形態５に係る保冷装置において、２つの保冷容器１００の背面同士を合わせるように隣接させた場合を考える。この発明の実施の形態５に係る保冷装置は、この場合において、一方の保冷容器１００の第３の端子５３０と他方の保冷容器１００の第４の端子５４０とが電気的に接続され、かつ、一方の保冷容器１００の第４の端子５４０と他方の保冷容器１００の第３の端子５３０とが電気的に接続されるように構成されている。
【００８２】
図１３に示すのは、以上のように構成された、この発明の実施の形態５に係る保冷装置が備える保冷容器１００を３つ並べた場合の一例である。この図１３に向かって左下の保冷容器１００、左上の保冷容器１００及び右上の保冷容器１００のそれぞれを、以降では、単に「左下の保冷容器１００」、「左上の保冷容器１００」及び「右上の保冷容器１００」とそれぞれ呼ぶ。
【００８３】
この図１３に示す状態においては、左下の保冷容器１００の第１の端子５１０に商用電源３００から電力が入力されている。そして、左下の保冷容器１００の冷却装置２１０は、左下の保冷容器１００の第１の端子５１０に入力された電力により駆動される。また、左下の保冷容器１００の第３の端子５３０及び第４の端子５４０のそれぞれから電力が出力される。
【００８４】
左下の保冷容器１００の第３の端子５３０及び第４の端子５４０のそれぞれから出力された電力は、左上の保冷容器１００の第４の端子５４０及び第３の端子５３０にそれぞれ入力される。そして、左上の保冷容器１００の冷却装置２１０は、左上の保冷容器１００の第３の端子５３０及び第４の端子５４０に入力された電力により駆動される。また、左上の保冷容器１００の第１の端子５１０から電力が出力される。
【００８５】
左上の保冷容器１００の第１の端子５１０から出力された電力は、右上の保冷容器１００の第２の端子５２０に入力される。そして、右上の保冷容器１００の冷却装置２１０は、右上の保冷容器１００の第２の端子５２０に入力された電力により駆動される。
【００８６】
このようにして、１つの商用電源３００を用いて、複数の保冷容器１００の冷却装置２１０を駆動させることができる。
なお、他の構成については実施の形態１又は実施の形態２と同様であって、その詳細説明は省略する。
【００８７】
以上のように構成された保冷装置は、前面に開口１１１が形成された保冷容器１００においても、実施の形態１と同様の効果を奏することができるのに加えて、背面側に隣接して配置された他の保冷容器１００へも電力を送ることができる。したがって、より少ない電源（給電口）で、より多くの保冷容器１００の冷却装置２１０を同時に駆動させることができ、数少ない電源（給電口）をより有効に活用することが可能である。また、多数の保冷容器１００を左右方向に２列に並べて保管することができるため、単位面積当たりに設置可能な保冷容器１００の数をさらに増加させ、多数の保冷容器１００を収容する際のスペースの利用効率をさらに向上することができる。
【産業上の利用可能性】
【００８８】
この発明は、例えば、ワクチン製剤等の薬剤を低温で保存、管理、運搬等する保冷装置に利用できる。
【符号の説明】
【００８９】
１    対象物
１００    保冷容器
１１０    容器本体
１１１    開口
１１２    足部
１２０    蓋体
１２１    蓋開口部
１２２    可動蓋部
１２３    ヒンジ部
１２４    凹部
１３０    内側容器
１３１    取り出し補助具
１３２    仕切部
２１０    冷却装置
２１１    放熱部
２２０    電力変換部
２３０    制御部
２３１    制御スイッチ
２４０    温度センサ
３００    商用電源
４００    送電ケーブル
５１０    第１の端子
５２０    第２の端子
５３０    第３の端子
５４０    第４の端子
６０１    ケーブル保護具
６０２    接続端子
【図１】
2017208338.tif 000003
【図２】
2017208338.tif 000004
【図３】
2017208338.tif 000005
【図４】
2017208338.tif 000006
【図５】
2017208338.tif 000007
【図６】
2017208338.tif 000008
【図７】
2017208338.tif 000009
【図８】
2017208338.tif 000010
【図９】
2017208338.tif 000011
【図１０】
2017208338.tif 000012
【図１１】
2017208338.tif 000013
【図１２】
2017208338.tif 000014
【図１３】
2017208338.tif 000015
【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
内部空間を冷却する冷却手段を有する保冷容器と、
前記保冷容器に設けられ、少なくとも商用電源から電力を入力可能な第１の端子及び第２の端子と、
前記保冷容器に設けられ、電力を入力可能な第３の端子及び第４の端子と、を備え、
前記第１の端子は、前記保冷容器の一側面部に設けられ、前記第２の端子に入力された電力を出力可能であり、
前記第２の端子は、前記保冷容器の前記一側面部とは反対側の他側面部に設けられ、前記第１の端子に入力された電力を出力可能であり、
前記第３の端子は、前記保冷容器の上面部に設けられ、前記第１の端子、前記第２の端子及び前記第４の端子に入力された電力を出力可能であり、
前記第４の端子は、前記保冷容器の底面部に設けられ、前記第１の端子、前記第２の端子及び前記第３の端子に入力された電力を出力可能であり、
前記冷却手段は、前記第１の端子、前記第２の端子、前記第３の端子及び前記第４の端子に入力された電力で駆動可能である保冷装置。
【請求項２】
内部空間を冷却する冷却手段を有する保冷容器と、
前記保冷容器に設けられ、少なくとも商用電源から電力を入力可能な第１の端子及び第２の端子と、
前記保冷容器に設けられ、電力を入力可能な第３の端子及び第４の端子と、を備え、
前記第１の端子は、前記保冷容器の一側面部に設けられ、前記第２の端子に入力された電力を出力可能であり、
前記第２の端子は、前記保冷容器の前記一側面部とは反対側の他側面部に設けられ、前記第１の端子に入力された電力を出力可能であり、
前記第３の端子は、前記保冷容器の背面部の一側に設けられ、前記第１の端子、前記第２の端子及び前記第４の端子に入力された電力を出力可能であり、
前記第４の端子は、前記保冷容器の前記背面部の他側に設けられ、前記第１の端子、前記第２の端子及び前記第３の端子に入力された電力を出力可能であり、
前記冷却手段は、前記第１の端子、前記第２の端子、前記第３の端子及び前記第４の端子に入力された電力で駆動可能である保冷装置。
【請求項３】
内部空間を冷却する冷却手段を有する保冷容器と、
前記保冷容器に設けられ、電力を入力可能な第１の端子、第２の端子、第３の端子及び第４の端子を備え、
前記第１の端子は、前記保冷容器の一側面部に設けられ、前記第２の端子、前記第３の端子及び前記第４の端子に入力された電力を出力可能であり、
前記第２の端子は、前記保冷容器の前記一側面部とは反対側の他側面部に設けられ、前記第１の端子、前記第３の端子及び前記第４の端子に入力された電力を出力可能であり、
前記第３の端子は、前記保冷容器の上面部に設けられ、前記第１の端子、前記第２の端子及び前記第４の端子に入力された電力を出力可能であり、
前記第４の端子は、前記保冷容器の底面部に設けられ、前記第１の端子、前記第２の端子及び前記第３の端子に入力された電力を出力可能であり、
前記冷却手段は、前記第１の端子、前記第２の端子、前記第３の端子及び前記第４の端子に入力された電力で駆動可能である保冷装置。
【請求項４】
電源から供給された電力を変換して前記冷却手段に供給する電力変換部を備え、
前記電力変換部は、前記保冷容器に内蔵される請求項１から請求項３のいずれか一項に記載の保冷装置。
【請求項５】
電源から供給された電力を変換して前記冷却手段に供給する電力変換部を備え、
前記電力変換部は、前記保冷容器の外部に設けられる請求項１から請求項３のいずれか一項に記載の保冷装置。
【手続補正２】
【補正対象書類名】明細書
【補正対象項目名】０００６
【補正方法】変更
【補正の内容】
【０００６】
この発明に係る保冷装置は、内部空間を冷却する冷却手段を有する保冷容器と、前記保冷容器に設けられ、少なくとも商用電源から電力を入力可能な第１の端子及び第２の端子と、前記保冷容器に設けられ、電力を入力可能な第３の端子及び第４の端子と、を備え、前記第１の端子は、前記保冷容器の一側面部に設けられ、前記第２の端子に入力された電力を出力可能であり、前記第２の端子は、前記保冷容器の前記一側面部とは反対側の他側面部に設けられ、前記第１の端子に入力された電力を出力可能であり、前記第３の端子は、前記保冷容器の上面部に設けられ、前記第１の端子、前記第２の端子及び前記第４の端子に入力された電力を出力可能であり、前記第４の端子は、前記保冷容器の底面部に設けられ、前記第１の端子、前記第２の端子及び前記第３の端子に入力された電力を出力可能であり、前記冷却手段は、前記第１の端子、前記第２の端子、前記第３の端子及び前記第４の端子に入力された電力で駆動可能である構成とする。
または、この発明に係る保冷装置は、内部空間を冷却する冷却手段を有する保冷容器と、前記保冷容器に設けられ、少なくとも商用電源から電力を入力可能な第１の端子及び第２の端子と、前記保冷容器に設けられ、電力を入力可能な第３の端子及び第４の端子と、を備え、前記第１の端子は、前記保冷容器の一側面部に設けられ、前記第２の端子に入力された電力を出力可能であり、前記第２の端子は、前記保冷容器の前記一側面部とは反対側の他側面部に設けられ、前記第１の端子に入力された電力を出力可能であり、前記第３の端子は、前記保冷容器の背面部の一側に設けられ、前記第１の端子、前記第２の端子及び前記第４の端子に入力された電力を出力可能であり、前記第４の端子は、前記保冷容器の前記背面部の他側に設けられ、前記第１の端子、前記第２の端子及び前記第３の端子に入力された電力を出力可能であり、前記冷却手段は、前記第１の端子、前記第２の端子、前記第３の端子及び前記第４の端子に入力された電力で駆動可能である構成とする。
【国際調査報告】
2017208338.tif 000016
2017208338.tif 000017
2017208338.tif 000018
2017208338.tif 000019